(57)【要約】【課題】  製造性に優れ、縫製部のほつれ等によって脱落を抑制可能なサイドミラーカバー等を提供する。【解決手段】  サイドミラーカバー１は、袋体３の一方の端部にゴム部５が設けられる。ゴム部５は、略環状で一体に袋体３に設けられ、ゴム部５において、袋体３は開口する。なお、袋体３の他方の端部は閉じられている。袋体３の側面の一部には、開口部７が設けられる。開口部７の縁部９は、繊維のほつれが無いように、適宜縫製される。袋体３は、筒編みによって形成される。このため、例えばゴム部５を周方向に分断するような縫製部が不要である。また、開口部７の縁部９や、正面に縫製部が形成されることがない。このため、縫製部のほつれの心配がなく、デザイン性にも優れる。また、筒編みで形成された袋体３は、全方向に対して十分な伸縮性を有する。【選択図】図１
2014240249.tif 000002
【特許請求の範囲】
【請求項１】
自動車のサイドミラーに被せられるサイドミラーカバーの製造方法であって、
一方の端部に環状のゴム部を有する伸縮自在の筒編み生地を作成する工程と、
前記筒編み生地の他方の端部を縫い合わせて袋体を形成する工程と、
前記袋体の側面の一部を切り抜いて開口部を形成し、前記開口部の縁部を縫製する工程と、
を具備することを特徴とするサイドミラーカバーの製造方法。
【請求項２】
前記開口部を形成する前に、前記袋体の生地が伸びるように前記袋体を型にはめた状態で、前記袋体の少なくとも一部に昇華プリントを施すことを特徴とする請求項１記載のサイドミラーカバーの製造方法。
【請求項３】
前記筒編み生地を形成する繊維は、ポリウレタン弾性繊維の外周部をポリエステルで被覆したものであることを特徴とする請求項１または請求項２に記載のサイドミラーカバーの製造方法。
【請求項４】
前記開口部を形成した後、前記袋体の内面の少なくとも一部に、滑り止め部材を設けることを特徴とする請求項１から請求項３のいずれかに記載のサイドミラーカバーの製造方法。
【請求項５】
自動車のサイドミラーに被せられるサイドミラーカバーであって、
一方の端部が開口し、他方の端部が閉じられた筒編みによって形成された伸縮自在の袋体と、
前記一方の端部に環状に縫製されたゴム部と、
前記袋体の側面の一部に形成され縁部が縫製された開口部と、
を具備することを特徴とするサイドミラーカバー。
【請求項６】
前記袋体は、ポリウレタン弾性繊維の外周部をポリエステルで被覆した繊維で編み込まれ、前記袋体の少なくとも一部には、昇華プリントが施されていること特徴とする請求項５記載のサイドミラーカバー。
【請求項７】
前記袋体の内面の少なくとも一部に、滑り止め部材が設けられることを特徴とする請求項５または請求項６に記載のサイドミラーカバー。
【発明の詳細な説明】
【技術分野】
【０００１】
本発明は、自動車のサイドミラーに被せて使用されるサイドミラーカバーと、この製造方法に関するものである。
【背景技術】
【０００２】
自動車の両サイドには、サイドミラーが設けられている。サイドミラーは、運転手が視認するためのミラー部を有する。このようなサイドミラーに対して、事後的に装飾や保護を目的として装着されるサイドミラー用カバーがある（例えば特許文献１）。
【先行技術文献】
【特許文献】
【０００３】
【特許文献１】特開２０１２−２４５９７１号公報
【発明の概要】
【発明が解決しようとする課題】
【０００４】
特許文献１のようなサイドミラー用カバーは、サイドミラーに対してねじ等を用いて固定される。このため、脱着作業が煩雑である。また、サイドミラーカバーは、サイドミラーの形状に対応する形状とする必要があるため、例えば車種ごとに形状を変更する必要がある。
【０００５】
そこで、このようなサイドミラーカバーを布製とする方法がある。布製にすることで、サイドミラーへの装着にねじ等が必要なく、また、複数のサイドミラーの形状へも多少の追従性を有する。
【０００６】
図８（ａ）は、布製のサイドミラーカバー１００を示す図である。サイドミラーカバー１００は、サイドミラーに被せて固定する部位である固定部１０３と、ミラー部を視認するための開口部１０７を有する。固定部１０３は、筒状の本体が開口する部位であり、ここからサイドミラーへ本体を被せて固定される。また、開口部１０７は、ミラー部の形状に応じて切除される。
【０００７】
サイドミラーカバー１００は、通常、１枚の布を縫製することで、サイドミラーへ装着可能な形状となる。例えば、１枚の布を丸めるようにして、突合せ部分を縫製して略筒状とし、サイドミラー形状にする。しかし、このような、サイドミラーカバー１００には、図示したような縫製部１０１が存在する。
【０００８】
図８（ｂ）は、サイドミラーカバー１００をサイドミラー１１１に装着した状態を示す図である。サイドミラーカバー１００は、固定部１０３側から、サイドミラー１１１の先端側へ被せられる。固定部１０３をアーム部１１３まで被せることで、サイドミラーカバー１００がサイドミラー１１１の全体に装着される。この際、前述したように、開口部１０７は、ミラー部１１５の位置に配置される。このため、サイドミラーカバー１００がミラー部１１５を隠すことがない。
【０００９】
このようなサイドミラーカバー１００は、縫製部１０１の長さが長く、生地の型抜き等が必要となることから、必ずしも製造性が良いものではない。また、縫製部１０１がほつれてしまうと、サイドミラーカバー１００がサイドミラー１１１から脱落する恐れがある。例えば、固定部１０３につながる縫製部１０１がほつれると、固定部１０３の開口サイズが大きくなるため、サイドミラーカバー１００はサイドミラー１１１から容易に脱落する。
【００１０】
また、通常の織物は、伸縮性に乏しく、サイドミラー１１１の形状に完全に追従させることは困難である。仮に伸縮性の生地を用いたとしても、通常の織物は、伸縮性に方向性があるため、ある方向には良く伸びるが、例えばこれと垂直な方向への伸縮性が悪い場合がある。したがって、三次元的な様々な形状のサイドミラー１１１に対応するためには、複数種類のサイドミラーカバー１００を用いる必要がある。
【００１１】
本発明は、このような問題に鑑みてなされたもので、製造性に優れ、縫製部のほつれ等によって脱落を抑制可能なサイドミラーカバー等を提供することを目的とする。
【課題を解決するための手段】
【００１２】
前述した目的を達成するため、第１の発明は、自動車のサイドミラーに被せられるサイドミラーカバーの製造方法であって、一方の端部に環状のゴム部を有する伸縮自在の筒編み生地を作成する工程と、前記筒編み生地の他方の端部を縫い合わせて袋体を形成する工程と、前記袋体の側面の一部を切り抜いて開口部を形成し、前記開口部の縁部を縫製する工程と、を具備することを特徴とするサイドミラーカバーの製造方法である。
【００１３】
このようにすることで、筒状の筒編み生地の周方向には生地同士を突き合わせた縫製部が形成されることがない。特に、サイドミラーへ被せる部位であるゴム部が完全な環状に形成され、周方向に上記のような縫製部が形成されることがない。したがって、縫製部のほつれ等により、サイドミラーカバーがサイドミラーから脱落することを防止することができる。また、生地同士をつなぐ縫製部が、筒編み生地の先端側のみであるため、縫製長が短く、製造性にも優れ、デザイン性にも優れる。また、筒編みであるため、周方向および長手方向の全方向に対して伸縮性に優れる。
【００１４】
前記開口部を形成する前に、前記袋体の生地が伸びるように前記袋体を型にはめた状態で、前記袋体の少なくとも一部に昇華プリントを施されてもよい。
【００１５】
このように、昇華プリント行うことで、伸縮性を損なうことなく、任意のデザインにプリント加工を行うことができる。特に、生地を伸ばした状態で昇華プリントを行うことで、サイドミラーに取り付けられた際に、プリントデザインの配色が薄くなることを防止することができる。
【００１６】
前記筒編み生地を形成する繊維は、ポリウレタン弾性繊維の外周部をポリエステルで被覆したものであることが望ましい。
【００１７】
このような構成とすることで、伸縮性に優れるポリウレタン弾性繊維（スパンテックス）の機能と、染色性に優れるポリエステルの機能とを得ることができる。特に、昇華プリントを行うインクとして用いられる分散塗料は、ポリエステルへの固着性が優れるため、繊維の表面がポリエステルであれば、容易に塗料を繊維表面に固着させることができる。
【００１８】
前記開口部を形成した後、前記袋体の内面の少なくとも一部に、滑り止め部材を設けてもよい。
【００１９】
このようにすることで、サイドミラーカバーをサイドミラーに装着した際に、サイドミラーカバーがずれることを防止することができる。このため、例えば走行中に、サイドミラーカバーがミラー部を覆い、ミラー部の視認性を妨げることを抑制することができる。
【００２０】
第２の発明は、自動車のサイドミラーに被せられるサイドミラーカバーであって、一方の端部が開口し、他方の端部が閉じられた筒編みによって形成された伸縮自在の袋体と、前記一方の端部に環状に縫製されたゴム部と、前記袋体の側面の一部に形成され縁部が縫製された開口部と、を具備することを特徴とするサイドミラーカバーである。
【００２１】
第２の発明によれば、サイドミラーカバーが筒編みで形成されているため、周方向にも長手方向にも伸縮性が優れる。したがって、様々な形状のサイドミラーへの装着性が優れる。また、ゴム部が環状で、ゴム部を分断するような縫製部が不要であるため、縫製部のほつれ等により、サイドミラーカバーがサイドミラーから脱落することを防止することができる。
【００２２】
前記袋体は、ポリウレタン弾性繊維の外周部をポリエステルで被覆した繊維で編み込まれ、前記袋体の少なくとも一部には、昇華プリントが施されていることが望ましい。
【００２３】
このようにすることで、デザイン性に優れるサイドミラーカバーを得ることができる。この際、繊維が、伸縮性に優れるポリウレタン弾性繊維（スパンテックス）の心材と、その外周の染色性に優れるポリエステルからなるため、伸縮性と染色性の両者を両立することができる。
【００２４】
前記袋体の内面の周囲の少なくとも一部に、滑り止め部材が設けられてもよい。
【００２５】
このようにすることで、サイドミラーカバーをサイドミラーに装着した際に、サイドミラーカバーがずれることを防止することができる。
【発明の効果】
【００２６】
本発明によれば、製造性に優れ、縫製部のほつれ等によって脱落を抑制可能なサイドミラーカバー等を提供することができる。
【図面の簡単な説明】
【００２７】
【図１】サイドミラーカバー１を示す図で、（ａ）は正面図、（ｂ）は背面図。
【図２】サイドミラーカバー１を自動車に装着した状態を示す図で、（ａ）は前方斜視図、（ｂ）は後方斜視図。
【図３】サイドミラーカバー１を自動車に装着した状態を示すサイドミラー１１の拡大図で、（ａ）は正面図、（ｂ）は背面図。
【図４】サイドミラーカバー１の製造工程を示す図で、（ａ）はゴム部５を形成した状態を示す図、（ｂ）は筒編み生地２１を形成する工程を示す図。
【図５】サイドミラーカバー１の製造工程を示す図で、（ａ）は筒編み生地２１を示す図、（ｂ）は袋体３を形成した状態を示す図。
【図６】（ａ）は、昇華プリントを施した状態を示す図、（ｂ）は、開口部７を形成した状態を示す図。
【図７】（ａ）はサイドミラーカバー１ａを示す背面図、（ｂ）はサイドミラーカバー１ａをサイドミラー１１に装着した状態を示す図。
【図８】（ａ）は従来のサイドミラーカバー１００を示す背面図、（ｂ）は従来のサイドミラーカバー１００をサイドミラー１１１に装着した状態を示す図。
【発明を実施するための形態】
【００２８】
以下、本発明の第１の実施の形態にかかるサイドミラーカバー１について説明する。図１はサイドミラーカバー１を示す図で、図１（ａ）は正面図、図１（ｂ）は背面図である。サイドミラーカバー１は、袋体３の一方の端部にゴム部５が設けられる。ゴム部５は、略環状で一体に袋体３に設けられる。ゴム部５において、袋体３は開口する。なお、袋体３の他方の端部は閉じられている。
【００２９】
袋体３の側面の一部には、開口部７が設けられる。開口部７の縁部９は、繊維のほつれが無いように、適宜縫製される。
【００３０】
袋体３は、筒編みによって形成される。このため、例えばゴム部５を周方向に分断するような縫製部が不要である。また、開口部７の縁部９や、正面に縫製部が形成されることがない。このため、縫製部のほつれの心配がなく、デザイン性にも優れる。また、筒編みで形成された袋体３は、全方向に対して十分な伸縮性を有する。なお、袋体３の製造方法の詳細は後述する。
【００３１】
次に、サイドミラーカバー１の使用方法について説明する。図２は、サイドミラーカバー１を自動車に装着した状態を示す図であり、図２（ａ）は前方斜視図、図２（ｂ）は後方斜視図である。また、図３は、サイドミラーカバー１が装着されたサイドミラー１１の拡大図であり、図３（ａ）は正面図、図３（ｂ）は背面図である。
【００３２】
図に示すように、サイドミラーカバー１は、自動車のサイドミラー１１に装着される。この際、サイドミラーカバー１のゴム部５は、サイドミラー１１のアーム部１３に位置し、袋体３の全体でサイドミラー１１を覆うように装着される。また、開口部７は、サイドミラー１１のミラー部１５の位置に配置される。したがって、ミラー部１５は、サイドミラーカバー１の装着時であっても、視認可能である。
【００３３】
サイドミラーカバー１をサイドミラー１１に装着した際に、自動車の前方からは、サイドミラーカバー１の正面を視認することができる。このため、サイドミラーカバー１の正面に、任意のデザインを施すことで、すれ違いざまの自動車や、前方を横切る者も、当該デザインを視認させることができる。また、サイドミラーカバー１の正面に会社名や商品名の文字や絵柄を設けることで、宣伝効果を得ることもできる。
【００３４】
ここで、サイドミラーカバー１の袋体３は、前述したように任意の方向に伸縮可能である。このため、複数の形状のサイドミラー１１に対しても、適切にフィットさせることができる。なお、ゴム部５の伸縮性は、他の袋体３の部位の伸縮性よりも、より弾性力が強い。したがって、袋体３は、サイドミラー１１の形状に容易に伸縮するが、ゴム部５は、アーム部１３を確実に保持し、サイドミラーカバー１をサイドミラー１１に固定することができる。
【００３５】
次に、サイドミラーカバー１の製造方法について説明する。本発明では、サイドミラーカバー１は、従来靴下などの製造に使用される筒編み機を使用することができる。なお、このような靴下用の筒編み機としては、Ｋ式、Ｗ式のいずれも適用することができる。
【００３６】
まず、図４（ａ）に示すように、ゴム部５を形成する。ゴム部５では、ゴム部材と袋体３を構成する繊維とを重ねあわせて環状に形成する。すなわち、ゴム部５の周方向は一体で形成され、周方向に分断するような縫製部が存在しない。なお、ゴム部５はインゴムとしてもよい。
【００３７】
所定の大きさ（径および幅）のゴム部５を形成した後、引き続いて、図４（ｂ）に示すように、筒編み生地２１を形成する。すなわち、筒編み生地２１は、ゴム部材を用いずに、袋体３を構成する繊維のみで形成される。なお、ここで用いられる繊維としては、伸縮性に優れるポリウレタン弾性繊維（スパンテックス）が用いられる。また、後述する昇華プリントによるインクの固着性を高めるため、ポリウレタン弾性繊維の外周面をポリエステルで被覆した繊維を用いることが望ましい。
【００３８】
所定長の筒編みを行うことで、図５（ａ）に示すように、所定長さの筒編み生地２１を形成することができる。次に、図５（ｂ）に示すように、筒編み生地２１の開口部（ゴム部５とは逆側の端部）を縫製して閉じる。以上によって、袋体３が形成される。すなわち、この状態の袋体３は、ゴム部５側の端部のみが開口した袋形状となる。
【００３９】
次に、図６（ａ）に示すように、袋体３を型２３に被せる。型２３は、例えばサイドミラー形状の型である。型２３は、袋体３よりも十分に大きいため、袋体３を型２３に被せると、袋体３は、型２３によって全方向に伸ばされた状態となる。すなわち、繊維間のピッチが広げられた状態となる。このように、袋体３の生地を伸ばした状態で、例えば昇華プリントを実施する。昇華プリントは、袋体３の前面に行ってもよく、その一部にのみ行ってもよい。
【００４０】
袋体３の昇華プリントが終了後、図６（ｂ）に示すように、袋体３の側面の一部に開口部７を形成する。すなわち、袋体３の一部を切除する。この際、切断部のほつれを防止するため、開口部７の縁部９を縫製する。なお、縁部９には、伸縮性のテープ（ゴムテープ）を縫い込むこともできる。このようにすることで、サイドミラーへの装着性（固定）がより確実となる。以上により、サイドミラーカバー１が製造される。
【００４１】
以上、本実施の形態によれば、サイドミラーカバー１が筒編みによって形成されるため、周方向に分断するような縫製部が形成されない。このため、使用時に縫製部のほつれなどによる口あきの恐れがなく、使用中にサイドミラー１１から脱落することがない。
【００４２】
また、サイドミラーカバー１の側面（視認部）に、縫製部が形成されないため、デザイン性が優れる。例えば、昇華プリントによって、絵柄等をプリントした場合に、縫製部によって、プリントに乱れが生じることがない。
【００４３】
また、筒編みで形成されるため、使用する繊維とも相まって、極めて高い伸縮性を得ることができる。特に通常の縦編みなどのように伸縮方向に方向性が形成されず、全方向に対して十分な伸縮性を得ることができる。
【００４４】
また、使用する繊維が、ポリウレタン弾性繊維の外周面をポリエステルで被覆した繊維であるため、昇華プリントに用いられる分散染料の固着性が優れる。また、袋体３を伸ばした状態で昇華プリントを行うことで、分散染料の固着密度を高めることができる。このため、サイドミラーカバー１をサイドミラー１１に装着し、サイドミラーカバー１が伸ばされた状態でも、絵柄等が薄くなって視認不能になることを防止することができる。
【００４５】
次に、第２の実施の形態について説明する。図７（ａ）は、第２の実施の形態にかかるサイドミラーカバー１ａを示す図である。なお、以下の説明において、サイドミラーカバー１と同様の機能を奏する構成については、図１等と同様の符号を付し、重複する説明を省略する。
【００４６】
サイドミラーカバー１ａは、サイドミラーカバー１とほぼ同様の構成であるが、滑り止め部材２５が設けられる点で異なる。サイドミラーカバー１ａは、袋体３の内面側の一部に滑り止め部材２５が設けられる。滑り止め部材２５は、例えばシリコーンゴム等のゴム部材で構成される。
【００４７】
図７（ｂ）に示すように、サイドミラーカバー１ａをサイドミラー１１に装着すると、滑り止め部材２５がミラー部１５の周囲でサイドミラー１１に密着する。したがって、サイドミラーカバー１ａのずれを防止することができる。このため、走行中に、サイドミラーカバーがずれて、ミラー部１５の視認性に影響を及ぼすことを防止することができる。
【００４８】
なお、滑り止め部材２５は、袋体３の内面側に連続して形成してもよいが、複数に分割してもよい。例えば、袋体３の伸縮性に影響を及ぼさないように、小さな滑り止め部材２５を複数個所に配置してもよい。また、滑り止め部材２５の位置は特に限定されないが、ゴム部５や、開口部７の縁部９近傍などの他の部位の内面側に配置してもよい。また、滑り止め部材２５としては、袋体３の内面の一部または全体にフロッキー加工や滑り止め部材をプリントによって施すことで形成してもよい。
【００４９】
第２の実施形態のサイドミラーカバー１ａによれば、サイドミラーカバー１と同様の効果を得ることができる。また、滑り止め部材２５によって、より安定してサイドミラーカバー１ａをサイドミラー１１に装着することができる。
【００５０】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００５１】
１、１ａ………サイドミラーカバー
３………袋体
５………ゴム部
７………開口部
９………縁部
１１………サイドミラー
１３………アーム部
１５………ミラー部
２１………筒編み生地
２３………型
２５………滑り止め部材
１００………サイドミラーカバー
１０１………縫製部
１０３………固定部
１０７………開口部
１１１………サイドミラー
１１３………アーム部
１１５………ミラー部
【図１】
2014240249.tif 000003
【図２】
2014240249.tif 000004
【図３】
2014240249.tif 000005
【図４】
2014240249.tif 000006
【図５】
2014240249.tif 000007
【図６】
2014240249.tif 000008
【図７】
2014240249.tif 000009
【図８】
2014240249.tif 000010